(57)【特許請求の範囲】
【請求項１】
原稿給送部によって給紙された原稿を読み取る原稿読み取り装置を有する画像形成装置であって、
前記原稿読み取り装置は、
前記原稿を読み取って元画像データを取得する第１読み取り手段と、
前記原稿に熱を加える加熱処理を行って消色インクを消色させる加熱手段と、
該加熱手段による加熱処理後の前記原稿を読み取って加熱後画像データを取得する第２読み取り手段と、を備え、
前記原稿に記入された情報が消色インクによって行われたものか否かを検証する消色インク検出動作を指示する消色インク検出指示を受け付ける操作手段と、
前記消色インク検出指示を受け付けた後に前記原稿の読み取りが指示されると、前記消色インク検出動作として前記第１読み取り手段と前記第２読み取り手段とによってそれぞれ取得した前記元画像データと前記加熱後画像データとを比較する画像データ比較手段と、
該画像データ比較手段による比較結果を通知する比較結果通知手段と、
前記元画像データに基づいて前記加熱後画像データとの不一致箇所を示す元原稿印刷データを生成する元原稿印刷データ生成手段と、
該元原稿印刷データ生成手段によって生成された前記元原稿印刷データを出力する出力手段と、を具備し、
前記画像データ比較手段による比較で前記元画像データと前記加熱後画像データとが一致しない場合、比較結果通知手段によって消色インクの検出を通知すると共に、前記出力手段によって前記元原稿印刷データを出力して前記消色インク検出動作を終了させ、
前記画像データ比較手段による比較で前記元画像データと前記加熱後画像データとが一致した場合、比較結果通知手段によって消色インクの不検出を通知して前記消色インク検出動作を終了させることを特徴とする画像形成装置。
【請求項２】
前記加熱手段から前記原稿に伝達される熱量を変更する加熱量変更手段を具備することを特徴とする請求項１記載の画像形成装置。
【請求項３】
前記加熱手段は、前記第１読み取り手段及び第２読み取り手段によって読み取られる前記原稿の読み取り面側から前記原稿を加熱することを特徴とする請求項１又は２記載の画像形成装置。
【請求項４】
前記元原稿印刷データ生成手段は、前記加熱後画像データとの不一致箇所を強調処理した前記元原稿印刷データを生成することを特徴とする請求項１乃至３記載の画像形成装置。
【請求項５】
前記元原稿印刷データ生成手段は、不一致箇所の前記強調処理として、線幅を太くする太字処理、拡大する拡大処理、色を変更する色変更処理、線等のマーキング処理のいずれかもしくは複数を行うことを特徴とする請求項４記載の画像形成装置。
【請求項６】
前記元原稿印刷データ生成手段は、不一致箇所の前記強調処理として、不一致箇所を切り出して箇条書きすると共に、縮小した前記加熱後画像データを用い、識別記号で不一致箇所が記入されていた場所をそれぞれ明示した前記元原稿印刷データを生成することを特徴とする請求項４記載の画像形成装置。
【発明の詳細な説明】
【技術分野】
【０００１】
本発明は、原稿給送部によって給紙された原稿を読み取る原稿読み取り装置を有する画像形成装置に関する。
【背景技術】
【０００２】
近年、熱を加えて所定の温度まで加熱することで透明になって消色される消色インクが開発され、この消色インクを用いたボールペンがよく使われるようになっている。
【先行技術文献】
【特許文献】
【０００３】
【特許文献１】特開２００９−２６０５９０号公報
【特許文献２】特開２０１３−６４８５９号公報
【発明の概要】
【発明が解決しようとする課題】
【０００４】
しかしながら、消色インクを用いたボールペンと消えないインクを用いた通常のボールペンとは、使用感において差異がほとんどないため、使用者は、消えないインクを用いた通常のボールペンで記入しなければならない文書に対して、消色インクを用いたボールペンを誤って使ってしまうことがある。例えば、契約書の署名など重要な書類において、消色インクを用いたボールペンを誤って使用した場合、改ざんなどされる虞や、経時的もしくは、視覚的にインクが消えてしまう虞があるという問題点があった。
【０００５】
なお、消色インクの特性を利用した画像形成装置として、特許文献１及び特許文献２が提案されているが、いずれも上記問題点を解決するものではない。
特許文献１では、原稿の部分的な画像加工のため、消色インクで識別子を記載し、原稿読み取り後に熱処理を行い原稿に記載された識別子を消す原稿読み取り装置が提案されている。
また、特許文献２では、記録媒体に記録媒体の特性情報などを予め消色インクで記載しておき、熱定着部をもつ画像形成装置において、記録媒体から読み取った情報から、印刷に適した画像形成を行うというもので、定着によりその印刷後不要な記録媒体の識別子を消す画像形成装置が提案されている。
【０００６】
本発明は、上記問題点を鑑みてなされたものであり、その目的とするところは、記入された情報が消色インクによって行われたものか否かを簡単に検証することができる画像形成装置を提供することにある。
【課題を解決するための手段】
【０００７】
本発明の画像形成装置は、原稿給送部によって給紙された原稿を読み取る原稿読み取り装置を有する画像形成装置であって、前記原稿読み取り装置は、前記原稿を読み取って元画像データを取得する第１読み取り手段と、前記原稿に熱を加える加熱処理を行って消色インクを消色させる加熱手段と、該加熱手段による加熱処理後の前記原稿を読み取って加熱後画像データを取得する第２読み取り手段と、を備え、前記原稿に記入された情報が消色インクによって行われたものか否かを検証する消色インク検出動作を指示する消色インク検出指示を受け付ける操作手段と、前記消色インク検出指示を受け付けた後に前記原稿の読み取りが指示されると、前記消色インク検出動作として前記第１読み取り手段と前記第２読み取り手段とによってそれぞれ取得した前記元画像データと前記加熱後画像データとを比較する画像データ比較手段と、該画像データ比較手段による比較結果を通知する比較結果通知手段と、前記元画像データに基づいて前記加熱後画像データとの不一致箇所を示す元原稿印刷データを生成する元原稿印刷データ生成手段と、該元原稿印刷データ生成手段によって生成された前記元原稿印刷データを出力する出力手段と、を具備し、前記画像データ比較手段による比較で前記元画像データと前記加熱後画像データとが一致しない場合、比較結果通知手段によって消色インクの検出を通知すると共に、前記出力手段によって前記元原稿印刷データを出力して前記消色インク検出動作を終了させ、前記画像データ比較手段による比較で前記元画像データと前記加熱後画像データとが一致した場合、比較結果通知手段によって消色インクの不検出を通知して前記消色インク検出動作を終了させることを特徴とする。
さらに、本発明の画像形成装置において、前記加熱手段から前記原稿に伝達される熱量を変更する加熱量変更手段を具備しても良い。
さらに、本発明の画像形成装置において、前記加熱手段は、前記第１読み取り手段及び第２読み取り手段によって読み取られる前記原稿の読み取り面側から前記原稿を加熱しても良い。
さらに、本発明の画像形成装置において、前記元原稿印刷データ生成手段は、前記加熱後画像データとの不一致箇所を強調処理した前記元原稿印刷データを生成しても良い。
さらに、本発明の画像形成装置において、前記元原稿印刷データ生成手段は、不一致箇所の前記強調処理として、線幅を太くする太字処理、拡大する拡大処理、色を変更する色変更処理、線等のマーキング処理のいずれかもしくは複数を行っても良い。
さらに、本発明の画像形成装置において、前記元原稿印刷データ生成手段は、不一致箇所の前記強調処理として、不一致箇所を切り出して箇条書きすると共に、縮小した前記加熱後画像データを用い、識別記号で不一致箇所が記入されていた場所をそれぞれ明示した前記元原稿印刷データを生成しても良い。
【発明の効果】
【０００８】
本発明によれば、原稿に消色インクによって情報が記入されていた場合、加熱手段による加熱処理で消色インクが消色される。従って、元画像データと消色インクが消色される加熱後画像データとを比較することで、記入された情報が消色インクによって行われたものか否かを簡単に検証することができるという効果を奏する。
【図面の簡単な説明】
【０００９】
【図１】本発明に係る画像形成装置の実施の形態の内部構成を示す概略模式側断面図である。
【図２】図１に示す原稿読み取り部及び原稿給送部の内部構成を示す概略模式側断面図である。
【図３】本発明に係る画像形成装置の実施の形態の概略構成を示すブロック図である。
【図４】本発明に係る画像形成装置の実施の形態における消色インク検出動作を説明するフローチャートである。
【図５】本発明に係る画像形成装置の実施の形態における消色インク検出動作を説明する説明図である。
【発明を実施するための形態】
【００１０】
次に、本発明の実施の形態を、図面を参照して具体的に説明する。
本実施の形態の画像形成装置は、複写機１であり、図１を参照すると、原稿読み取り部２と、原稿給送部３と、本体部５と、操作部６とを備えている。原稿読み取り部２は、本体部５の上部に配設され、原稿読み取り部２と本体部５との間には、記録紙排出トレイ５１が形成されている。原稿給送部３は、原稿読み取り部２の上部に配設されている。また、原稿給送部３は、可倒式に構成され、原稿給送部３を上方に開くことで、原稿読み取り部２の上面を開放させることができる構成になっている。操作部６は、複写機１の手前側に配設されている。なお、本件の画像形成装置は、複写機１で説明したが、スキャナー、複合機等が含まれるのは、言うまでもない。
【００１１】
操作部６には、液晶表示部６１、操作ボタン６２が設けられている。ユーザーは操作部６を操作して指示を入力することで、複写機１の各種の設定をし、画像形成等の各種機能を実行させる。液晶表示部６１は、複写機１の状態を示したり、画像形成状況や印刷部数を表示したり、タッチパネルとして、両面印刷や白黒反転等の機能や倍率設定、濃度設定など各種設定を行えるようになっている。操作ボタン６２としては、画像形成を開始するようにユーザーが指示するスタートボタン、画像形成を中止する際等に使用するストップ／クリアボタン、複写機１の各種設定をデフォルト状態にする際に使用するリセットボタン、テンキー等が設けられている。
【００１２】
原稿読み取り部２は、図１及び図２を参照すると、第１スキャナー２１と、第１原稿読み取りスリット２２と、加熱ローラー２３と、第２スキャナー２４と、第２原稿読み取りスリット２５と、プラテンガラス２６とを備える。スキャナー２１は、露光ランプ及びＣＣＤ(Charge Coupled Device)センサー等から構成され、原稿給送部３による原稿の給送方向に移動可能に構成されている。第１原稿読み取りスリット２２は、原稿給送部３による原稿ＭＳの原稿給送方向と直交方向に形成された隙間である。加熱ローラー２３は、ヒーター等の発熱手段が内蔵されたローラーであり、第１原稿読み取りスリット２２よりも原稿給送方向の下流側に配置され、原稿ＭＳに対して熱を加える。第２スキャナー２４は、露光ランプ及びＣＣＤ(Charge Coupled Device)センサー等から構成され、第２原稿読み取りスリット２５と対向する位置に固定されている。第２原稿読み取りスリット２５は、加熱ローラー２３よりも原稿給送方向の下流側に配置され、原稿給送方向と直交方向に形成された隙間である。プラテンガラス２６は、ガラス等の透明部材により構成された原稿台である。
【００１３】
プラテンガラス２６に載置された原稿ＭＳを読み取る場合には、第１スキャナー２１は、プラテンガラス２６に対向する位置に移動され、プラテンガラス２６に載置された原稿ＭＳを走査しながら原稿ＭＳを読み取って画像データを取得し、取得した画像データを本体部５に出力する。また、原稿給送部３により給送された原稿ＭＳを読み取る場合には、第１スキャナー２１は、第１原稿読み取りスリット２２と対向する位置に移動され、第１原稿読み取りスリット２２を介し、原稿給送部３による原稿ＭＳの給送動作と同期して原稿ＭＳを読み取って画像データを取得し、取得した画像データを本体部５に出力する。さらに、加熱ローラー２３は、第１原稿読み取りスリット２２（第１スキャナー２１）を通過した原稿ＭＳに対して表面、すなわち読み取り面側から熱を加える。さらに、第２スキャナー２４は、第２原稿読み取りスリット２５を介し、原稿給送部３による原稿ＭＳの給送動作と同期して原稿ＭＳを読み取って画像データを取得し、取得した画像データを本体部５に出力する。
【００１４】
原稿給送部３は、ＡＤＦ（Auto Document Feeder）であり、原稿載置部３１と、原稿排出トレイ３２と、原稿給送機構３３とを備えている。原稿載置部３１に載置された原稿ＭＳは、原稿給送機構３３によって、１枚ずつ順に繰り出されて第１原稿読み取りスリット２２、加熱ローラー２３及び第２原稿読み取りスリット２５に対向する位置へ給送され、その後、原稿排出トレイ３２に排出される。
【００１５】
原稿給送機構３３は、図２を参照すると、ピックアップローラー３４と、原稿給送ローラー３５と、レジストローラー３６と、原稿読み取り部２の第１原稿読み取りスリット２２に対向して配置された第１原稿押圧部３７と、原稿読み取り部２の加熱ローラー２３に対向して配置された原稿押圧ローラー３８と、原稿読み取り部２の第２原稿読み取りスリット２５に対向して配置された第２原稿押圧部３９と、原稿排出ローラー４０とを備えており、各ローラーは、図示しないステッピングモーターによって回転駆動される。
【００１６】
原稿載置部３１に画像面を上向きにセットされた複数枚の原稿ＭＳは、１次給紙動作として、ピックアップローラー３４によって上段の１枚が原稿給送ローラー３５に送られる。原稿給送ローラー３５に送られた原稿は、レジストローラー３６に向けて搬送される。レジストローラー３６の原稿搬送方向手前側には、原稿給紙センサーが配置されている。原稿給送ローラー３５及びピックアップローラー３４は、原稿給紙センサーによって原稿ＭＳの先端が検出されてから所定の距離だけその原稿ＭＳを搬送した後、回転駆動が停止され、１次給紙動作が終了される。１次給紙動作の終了時には、原稿ＭＳの先端がレジストローラー３６のニップ部に当接された状態となる。なお、原稿給紙センサーとしては、例えば、搬送される原稿ＭＳに向けて光を照射し、その反射光を受光する光センサーを用いることができる。
【００１７】
１次給紙動作が終了してから所定時間経過後、２次給紙動作が開始され、原稿給送ローラー３５、レジストローラー３６、原稿押圧ローラー３８及び原稿排出ローラー４０が回転駆動される。これにより、原稿ＭＳは、原稿読み取り部２の第１原稿読み取りスリット２２と第１原稿押圧部３７との間の第１原稿読み取り位置と、原稿読み取り部２の加熱ローラー２３と原稿押圧ローラー３８との間の原稿加熱位置と、原稿読み取り部２の第２原稿読み取りスリット２５と第２原稿押圧部３９との間の第２原稿読み取り位置とを経て原稿排出ローラー４０に向けて給送された後、原稿排出ローラー４０によって原稿排出トレイ３２に排出される。
【００１８】
本体部５は、記録部７を備えると共に、給紙部５２と、記録紙搬送路５３と、記録紙搬送ローラー５４と、記録紙排出ローラー５５とを備えている。給紙部５２は、複数の給紙カセット５２ａ１〜５２ａｎと、給紙カセット５２ａ１〜５２ａｎから記録紙を１枚ずつ記録紙搬送路５３に繰り出す記録紙給紙ローラー５２ｂ１〜５２ｂｎとを備えている。記録紙給紙ローラー５２ｂ１〜５２ｂｎ、記録紙搬送ローラー５４及び記録紙排出ローラー５５が記録紙搬送部として機能し、記録紙が搬送される。記録紙給紙ローラー５２ｂ１〜５２ｂｎによって記録紙搬送路５３に繰り出された記録紙は、記録紙搬送ローラー５４によって記録部７に搬送される。そして、記録部７によって記録が施された記録紙は、記録紙排出ローラー５５によって記録紙排出トレイ５１に排出される。
【００１９】
記録部７は、感光体ドラム７１と、露光部７２と、画像形成部７３と、転写部７４と、定着部７５とを備えている。露光部７２は、レーザー装置やミラー等を備えた光学ユニットであり、画像データに基づいてレーザー光を出力して感光体ドラム７１を露光し、感光体ドラム７１の表面に静電潜像を形成する。画像形成部７３は、トナーを用いて感光体ドラム７１に形成された静電潜像を現像する現像ユニットであり、静電潜像に基づいたトナー像を感光体ドラム７１上に形成させる。転写部７４は、画像形成部７３によって感光体ドラム７１上に形成されたトナー像を記録紙に転写させる。定着部７５は、転写部７４によってトナー像が転写された記録紙を加熱してトナー像を記録紙に定着させる。
【００２０】
図３には、複写機１の概略構成を示すブロック図が示されている。上述の原稿読み取り部２、原稿給送部３、搬送部（記録紙給紙ローラー５２ｂ１〜５２ｂｎ、記録紙搬送ローラー５４、記録紙排出ローラー５５）、操作部６及び記録部７は、制御部８に接続され、制御部８によって動作制御される。また、制御部８には、画像処理部９と、記憶部１０とが接続されている。
【００２１】
制御部８は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えたマイクロコンピュータ等の情報処理部である。ＲＯＭには複写機１の動作制御を行うための制御プログラムが記憶されている。制御部８は、ＲＯＭに記憶されている制御プログラムを読み出し、制御プログラムをＲＡＭに展開させることで、操作部６から入力された所定の指示情報に応じて装置全体の制御を行う。
【００２２】
コピー等の通常モードにおいて、原稿給送部３の原稿載置部３１に原稿ＭＳが載置された状態で、操作部６の操作ボタン６２のスタートキーが操作されると、制御部８は、原稿読み取り部２に対して通常動作での読み取りを指示する。通常動作での読み取りが指示されると、原稿読み取り部２は、第１スキャナー２１のみを用いて原稿ＭＳを読み取って画像データを取得し、加熱ローラー２３による原稿ＭＳの加熱をオフする。通常動作において、加熱ローラー２３と原稿給送部３の原稿押圧ローラー３８とは、原稿ＭＳを搬送する原稿給送ローラーとしてのみ機能する。
【００２３】
ユーザーによる消色インク検出指示の入力を操作部６によって受け付けると、制御部８は、消色インク検出モードに設定する。そして、消色インク検出モードにおいて、原稿給送部３の原稿載置部３１に原稿ＭＳが載置された状態で、操作部６の操作ボタン６２のスタートキーが操作されると、制御部８は、原稿読み取り部２に消色インク検出動作での読み取りを指示する。消色インク検出動作での読み取りが指示されると、原稿読み取り部２は、第１スキャナー２１を用いて原稿ＭＳを読み取って画像データを取得すると共に、加熱ローラー２３による原稿ＭＳの加熱をオンし、第２スキャナー２４を用いて加熱後の原稿ＭＳを読み取って画像データを取得する（以下、消色インク検出動作において、第１スキャナー２１を用いて読み取った画像データを元画像データと称すると共に、第２スキャナー２４を用いて読み取った画像データを加熱後画像データと称する）。
【００２４】
また、制御部８は、消色インク検出動作において、元画像データと加熱後画像データとを比較する画像データ比較部８１として機能する。画像データ比較部８１は、元画像データと加熱後画像データとを比較し、比較結果を操作部６の液晶表示部６１に表示させ、ユーザーに通知する。
【００２５】
さらに、制御部８は、元画像データと加熱後画像データとが一致しない場合には、元画像データに基づく元原稿印刷データを生成する元原稿印刷データ生成部８２として機能する。元原稿印刷データ生成部８２は、元画像データに基づいて元原稿印刷データを生成し、生成した元原稿印刷データを記録部７によって記録紙に印刷する。
【００２６】
画像処理部９は、画像データに対して所定の画像処理を行う手段であり、例えば、拡大縮小処理や、階調調整、濃度調整等の画像改善処理が行われる。
【００２７】
記憶部１０は、半導体メモリやＨＤＤ（Hard Disk Drive）等の記憶手段であり、原稿読み取り部２によって原稿ＭＳを読み取ることで取得された画像データが記憶されると共に、各種の管理情報が記憶されている。
【００２８】
次に、本実施の形態の複写機１における消色インク検出動作について図４及び図５を参照して詳細に説明する。
制御部８は、ユーザーによる消色インク検出指示の入力を操作部６によって受け付けると（ステップＡ１）、消色インク検出モードに設定する（ステップＡ２）。そして、制御部８は、スタートキーの操作による読み取り指示の入力を待機する（ステップＡ３）。ユーザーは、例えば、名前、住所等の各種情報が記入された各種申込書や履歴書等の書類を受け付ける際に、記入された情報が消色インクによって行われたものか否かを検証するために消色インク検出指示を行う。そして、ユーザーは、消色インクによって行われたものか否かを検証する書類を原稿ＭＳとして原稿載置部３１に載置し、スタートキーを操作して読み取り指示を入力する。
【００２９】
制御部８は、ステップＡ３で読み取り指示の入力を受け付けると、原稿給送部３に原稿ＭＳの給送を指示すると共に、原稿読み取り部２に消色インク検出動作での読み取りを指示する。消色インク検出動作での読み取りが指示されると、原稿読み取り部２は、第１スキャナー２１を用いて原稿ＭＳを読み取って元画像データを取得する（ステップＡ４）と共に、加熱ローラー２３による原稿ＭＳの加熱をオンして原稿ＭＳに熱を加える加熱処理を行い（ステップＡ５）、第２スキャナー２４を用いて加熱後の原稿ＭＳを読み取って加熱後画像データを取得する（ステップＡ６）。
【００３０】
ステップＡ５での加熱処理は、原稿ＭＳの表面（読み取り面）に消色インクで記入された情報を消色させるための処理であり、加熱ローラー２３によって原稿ＭＳの表面温度が、消色インクが消色される温度以上になるまで原稿ＭＳを加熱する。なお、消色インクの種類によって消色される温度が異なる。そこで、操作部６からの入力によって加熱ローラー２３の発熱温度を変更可能にし、加熱ローラー２３から原稿ＭＳに伝達される熱量を調整可能に構成すると好適である。この場合には、消色インクの種類に応じて加熱ローラー２３による加熱で到達する原稿ＭＳの表面温度を変更できる。また、加熱ローラー２３の発熱温度が同じであっても、原稿給送部３による原稿ＭＳの給送速度によって加熱ローラー２３から原稿ＭＳに伝達される熱量が変化する。従って、操作部６からの入力によって原稿給送部３による原稿ＭＳの給送速度を変更可能にし、加熱ローラー２３から原稿ＭＳに伝達される熱量を調整可能に構成しても良い。さらに、本実施の形態では、加熱ローラー２３によって原稿ＭＳの表面（読み取り面）側から加熱するように構成されている。従って、加熱ローラー２３による加熱で到達する温度は、原稿ＭＳの表面温度（読み取り面の温度）の方が原稿ＭＳの裏面温度（読み取り面の反対面の温度）に比べて高くなる。これにより、加熱ローラー２３の発熱温度や原稿給送部３による原稿ＭＳの給送速度を、消色インクの種類や原稿ＭＳの紙質に応じて適宜設定することで、原稿ＭＳの表面温度を消色インクが消色される温度以上とし、原稿ＭＳの裏面温度を消色インクが消色される温度未満とすることができ、原稿ＭＳの裏面に消色インクが記入された情報を残した状態で、原稿ＭＳの表面に消色インクが記入された情報を消色させることができる。
【００３１】
次に、制御部８は、画像データ比較部８１として機能し、ステップＡ４で取得した元画像データとステップＡ６で取得した加熱後画像データとを比較し（ステップＡ７）、元画像データと加熱後画像データとが一致するか否かを判断する（ステップＡ８）。
【００３２】
ステップＡ８で元画像データと加熱後画像データとが一致する場合には、画像データ比較部８１は、比較結果として、原稿ＭＳの表面に消色インクで記入された情報がないことを知らせるメッセージを操作部６の液晶表示部６１に表示させ、消色インクの不検出をユーザーに通知し（ステップＡ９）、消色インク検出動作を終了する。
【００３３】
ステップＡ８で元画像データと加熱後画像データとが一致しない場合には、画像データ比較部８１は、比較結果として、原稿ＭＳの表面に消色インクで記入された情報があって、この情報を消色させたことを知らせるメッセージを操作部６の液晶表示部６１に表示させ、消色インクの検出をユーザーに通知する（ステップＡ１０）。ステップＡ４で取得された図５（ａ）に示す元画像データにおいて、住所欄９１に記入された住所と氏名欄９２に記入された氏名とが消色インクを用いたものである場合には、ステップＡ５での加熱処理によって住所欄９１に記入された住所と氏名欄９２に記入された氏名とが消色され、ステップＡ６では、図５（ｂ）に示すように住所欄９１と氏名欄９２が空欄となった加熱後画像データが取得される。これにより、ステップＡ８で元画像データと加熱後画像データとが不一致となり、原稿ＭＳの表面に消色インクで記入された情報があったことが検出される。なお、ステップＡ９及びステップＡ１０での比較結果の通知は、音声出力手段を用いて音で通知するようにしても良い。
【００３４】
次に、制御部８は、元原稿印刷データ生成部８２として機能し、元画像データに基づく元原稿印刷データを生成し（ステップＡ１１）、生成した元原稿印刷データを記録部７によって記録紙に印刷して（ステップＡ１２）、消色インク検出動作を終了する。
【００３５】
元原稿印刷データ生成部８２は、元画像データに基づいて、加熱後画像データとの不一致箇所を強調処理した元原稿印刷データを生成する。図５（ｃ）には、加熱後画像データとの不一致箇所である住所欄９１に記入された住所と氏名欄９２に記入された氏名との線幅を太くする太字処理によって強調処理を行った元原稿印刷データＡが示されている。なお、強調処理として、太字処理に限ることなく、不一致箇所を拡大する拡大処理や、不一致箇所の色を変更する色変更処理や、下線等のマーキング処理等を行うようにしても良い。また、不一致箇所の強調処理として、図５（ｄ）に示す元原稿印刷データＢのように、不一致箇所を切り出して箇条書きするようにしても良い。この場合には、図５（ｄ）に示す元原稿印刷データＢのように、縮小した加熱後画像データを用い、識別記号（連番等）で不一致箇所が記入されていた場所をそれぞれ明示すると好適である。
【００３６】
以上説明したように本実施の形態は、原稿給送部３によって給紙された原稿ＭＳを読み取る原稿読み取り装置（原稿読み取り部２）であって、原稿ＭＳを読み取って元画像データを取得する第１読み取り手段である第１スキャナー２１と、原稿ＭＳに熱を加える加熱処理を行って消色インクを消色させる加熱手段である加熱ローラー２３と、加熱ローラー２３による加熱処理後の原稿ＭＳを読み取って加熱後画像データを取得する第２読み取り手段である第２スキャナー２４と、元画像データと加熱後画像データとを比較する画像データ比較手段である画像データ比較部８１と、画像データ比較部８１による比較結果を通知する比較結果通知手段である操作部６（液晶表示部６１）とを備えている。
この構成により、原稿ＭＳに消色インクによって情報が記入されていた場合、加熱ローラー２３による加熱処理で消色インクが消色される。従って、元画像データと消色インクが消色される加熱後画像データとを比較することで、記入された情報が消色インクによって行われたものか否かを簡単に検証することができる。
【００３７】
さらに、本実施の形態は、加熱ローラー２３から原稿ＭＳに伝達される熱量を変更する加熱量変更手段を備えることもできる。加熱ローラー２３から原稿ＭＳに伝達される熱量の変更は、例えば、操作部６からの入力によって加熱ローラー２３の発熱温度を変更可能に構成する。また、操作部６からの入力によって原稿給送部３による原稿ＭＳの給送速度を変更可能に構成しても良い。
この構成により、消色インクの種類に応じて加熱ローラー２３による加熱で到達する原稿ＭＳの表面温度を変更できる。
【００３８】
さらに、本実施の形態において、加熱ローラー２３は、第１スキャナー２１及び第２スキャナー２４によって読み取られる原稿ＭＳの読み取り面側から原稿ＭＳを加熱するように構成されている。
この構成により、加熱ローラー２３による加熱で到達する温度を、原稿ＭＳの表面温度（読み取り面の温度）よりも原稿ＭＳの裏面温度（読み取り面の反対面の温度）を低くすることができる。これにより、加熱ローラー２３の発熱温度や原稿給送部３による原稿ＭＳの給送速度を、消色インクの種類や原稿ＭＳの紙質に応じて適宜設定することで、原稿ＭＳの裏面に消色インクが記入された情報を残した状態で、原稿ＭＳの表面に消色インクが記入された情報を消色させることができる。
【００３９】
さらに、本実施の形態は、原稿読み取り部２を有する複写機１であって、画像データ比較部８１による比較で元画像データと加熱後画像データとが一致しないと判断されると、元画像データに基づいて加熱後画像データとの不一致箇所を示す元原稿印刷データを生成する元原稿印刷データ生成手段である元原稿印刷データ生成部８２と、元原稿印刷データ生成部８２によって生成された元原稿印刷データを出力する出力手段である記録部７を備えている。
この構成により、元原稿印刷データを参照することで、消色インクが消色された原稿ＭＳへの再記入を容易に行うことができる。
【００４０】
さらに、本実施の形態において、元原稿印刷データ生成部８２は、加熱後画像データとの不一致箇所を強調処理した元原稿印刷データを生成するように構成されている。
この構成により、消色インクが消色された場所及び内容を容易に把握することができ、消色インクが消色された原稿ＭＳへの再記入をさらに容易に行うことができる。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
例えば、本実施の形態では、原稿ＭＳを読み取って元画像データを取得する第１スキャナー２１と、加熱処理後の原稿ＭＳを読み取って加熱後画像データを取得する第２スキャナー２４との２つのスキャナーを用いたが、加熱処理後の原稿ＭＳを循環させ、第１スキャナー２１によって加熱処理後の前記原稿を読み取って加熱後画像データも取得するようにしても良い。すなわち、第１スキャナー２１と第２スキャナー２４とを同一のスキャナーで構成することができる。
また、本実施の形態では、元原稿印刷データ生成部８２によって生成された元原稿印刷データを記録紙に印刷して出力するように構成したが、元原稿印刷データは、液晶表示部６１や接続されたディスプレイ装置に表示して出力するようにしても良い。
【符号の説明】
【００４２】
１  複写機
２  原稿読み取り部
３  原稿給送部
５  本体部
６  操作部
７  記録部
８  制御部
９  画像処理部
１０  記憶部
２１  第１スキャナー
２２  第１原稿読み取りスリット
２３  加熱ローラー
２４  第２スキャナー
２５  第２原稿読み取りスリット
２６  プラテンガラス
３１  原稿載置部
３２  原稿排出トレイ
３３  原稿給送機構
３４  ピックアップローラー
３５  原稿給送ローラー
３６  レジストローラー
３７  第１原稿押圧部
３８  原稿押圧ローラー
３９  第２原稿押圧部
４０  原稿排出ローラー
５１  記録紙排出トレイ
５２  給紙部
５２ａ１〜５２ａｎ  給紙カセット
５２ｂ１〜５２ｂｎ  記録紙給紙ローラー
５３  記録紙搬送路
５４  記録紙搬送ローラー
５５  記録紙排出ローラー
６１  液晶表示部
６２  操作ボタン
７１  感光体ドラム
７２  露光部
７３  画像形成部
７４  転写部
７５  定着部
８１  画像データ比較部
８２  元原稿印刷データ生成部
９１  住所欄
９２  氏名欄
【図１】
0006287783.tif 000002
【図２】
0006287783.tif 000003
【図３】
0006287783.tif 000004
【図４】
0006287783.tif 000005
【図５】
0006287783.tif 000006